(57)【特許請求の範囲】
【請求項１】
帯域保証型の通信システムおよび帯域非保証型の通信システムを含むハイブリッド型通信システムを用いて、情報の提供を行なうハイブリッド情報提供方法であって、
ISDNの通信用の２つのＢチャネルのうちの一方のＢチャネルを帯域保証型の通信システムに適用し、該帯域保証型の通信システムおよび前記一方のＢチャネルを介してリアルタイム双方向の映像/音声情報を送受信し、
他方のＢチャネルを帯域非保証型のインターネットを含む通信システムに適用し、該帯域非保証型の通信システムおよび他方のＢチャネルを介してＨＴＭＬおよび手書き情報を送信する
ことを特徴とするハイブリッド情報提供方法。
【請求項２】
前記ハイブリッド型通信システム上で提供されるアプリケーションサービス映像、音声およびデータをサーバを介してグループ化し、アプリケーション毎に課金を行なうことを特徴とする請求項１記載のハイブリッド情報提供方法。
【発明の詳細な説明】
【０００１】
【発明の属する技術分野】
本発明は、帯域保証型の通信システムおよび帯域非保証型の通信システムを含むハイブリッド型通信システムを用いて、情報の提供を行なうハイブリッド情報提供方法に関する。
【０００２】
【従来の技術】
映像/音声情報などを送信するために、従来、電話とインターネットを併用して行なっているが、この方法では情報量に限界がある。
【０００３】
また、対面を補足する上では例えば表情やニュアンスなどの映像をリアルタイムで双方向に伝送することが重要であるが、電話とインターネットを併用した従来の方法では情報量に限界がある。
【０００４】
【発明が解決しようとする課題】
上述したように、映像/音声情報などを送信したり、また対面を補足する上で表情やニュアンスなどの映像をリアルタイムで双方向に伝送するために、電話とインターネットを併用した従来の方法では情報量に限界があるという問題がある。
【０００５】
本発明は、上記に鑑みてなされたもので、その目的とするところは、ＩＳＤＮ回線の２つの通信用のＢチャネルを帯域保証型通信と帯域非保証型通信に分けて使用することにより高密度の映像を効率的に伝送し得るハイブリッド情報提供方法を提供することにある。
【０００６】
【課題を解決するための手段】
上記目的を達成するため、請求項１記載の本発明は、帯域保証型の通信システムおよび帯域非保証型の通信システムを含むハイブリッド型通信システムを用いて、情報の提供を行なうハイブリッド情報提供方法であって、ISDNの通信用の2つのＢチャネルのうちの一方のＢチャネルを帯域保証型の通信システムに適用し、該帯域保証型の通信システムおよび前記一方のＢチャネルを介してリアルタイム双方向の映像/音声情報を送受信し、他方のＢチャネルを帯域非保証型のインターネットを含む通信システムに適用し、該帯域非保証型の通信システムおよび他方のＢチャネルを介してＨＴＭＬおよび手書き情報を送信することを要旨とする。
【０００７】
請求項１記載の本発明にあっては、ISDNの一方のＢチャネルを帯域保証型の通信システムに適用し、該帯域保証型の通信システムおよび一方のＢチャネルを介してリアルタイム双方向の映像/音声情報を送受信し、他方のＢチャネルを帯域非保証型のインターネットを含む通信システムに適用し、該帯域非保証型の通信システムおよび他方のＢチャネルを介してＨＴＭＬおよび動的に発信する手書き情報を送信するため、ISDN1回線で高密度の映像コミュニケーションを効率的に行なうことができ、また対面を補足する上で重要なコミュニケーションをISDN1回線で提供することができる。
【０００８】
また、請求項２記載の本発明は、請求項1記載の本発明において、前記ハイブリッド型通信システム上で提供されるアプリケーションサービス映像、音声およびデータをサーバを介してグループ化し、アプリケーション毎に課金を行なうことを要旨とする。
【０００９】
請求項２記載の本発明にあっては、ハイブリッド型通信システム上で提供されるアプリケーションサービス映像、音声およびデータをサーバを介してグループ化し、アプリケーション毎に課金を行なうことができる。
【００１０】
【発明の実施の形態】
以下、図面を用いて本発明の実施の形態を説明する。図１は、本発明の一実施形態に係わるハイブリッド情報提供方法を実施するハイブリッド情報提供システムの構成を示す図である。
【００１１】
同図に示すシステムは、リアルタイム双方向の映像/音声情報を高品質で安定して伝送し得る帯域保証型の通信システムを構成する回線交換システム11とＨＴＭＬおよび動的に発信する手書き情報を伝送するための帯域非保証型（ベストエフォード型）の通信システムを構成するインターネット13からなるＣＵＧ（クローズド・ユーザー・グループ）1を有する。
【００１２】
このＣＵＧ1は、本システムに予め契約した特定のユーザのみに情報を提供するとともに、この情報の提供において有料コンテンツを提供する場合には、提供する有料コンテンツの画面毎に課金して料金を徴収するものである。
【００１３】
回線交換システム11およびインターネット13は、情報提供センタ3に接続されている。この情報提供センタ3は、ＴＶ会議多地点接続装置31、データ配信サーバ33、課金サーバ35、ホワイトボードＷｅｂサーバ37、および認証サーバ39を有する。ＴＶ会議多地点接続装置31は、ＴＶ会議を行なうために多地点に分散している複数のＴＶ会議者を接続する装置であり、各ＴＶ会議者の画像や音声などの情報をリアルタイムに伝送する必要があるため、帯域保証型通信システムである回線交換システム11に接続されている。ＨＴＭＬデータを配信するデータ配信サーバ33、上述した有料コンテンツの課金を行なう課金サーバ35、およびホワイトボードに書き込まれた手書き情報を送信するホワイトボードＷｅｂサーバ37は、地帯非保証型通信システムであるインターネット13に接続されている。
【００１４】
また、回線交換システム11およびインターネット13にはＰＣからなる複数のユーザ端末5が接続されているが、各ユーザ端末5はＩＳＤＮ回線を収容していて、このＩＳＤＮの通信用の2つのＢチャネルのうち一方のＢチャネル7を介して点線で示すように回線交換システム11に接続され、また他方のＢチャネル9を介して実線で示すようにインターネット13に接続されている。
【００１５】
上述した構成では、各ユーザ端末5は、一方のＢチャネル7を用いて、回線交換システム11を介した例えばTV会議多地点接続装置31からのリアルタイム双方向の映像/音声情報の提供を高品質かつ安定に受けることができるとともに、また他方のＢチャネル9を用いて、インターネット13を介した例えばデータ配信サーバ33からのHTMLデータやホワイトボードWebサーバ37からの動的に発信する手書き情報の提供を受けることができ、これによりより近いコミュニケーションをISDN1回線で受けることができるようになっている。
【００１６】
すなわち、各ユーザ端末5においては、そのディスプレイ5aに示すように、TV会議多地点接続装置31から回線交換システム11および一方のBチャネル7を介して送信されてきた帯域保証型回線交換方式によるTV会議映像21がリアルタイムに表示されるとともに、またデータ配信サーバ33およびホワイトボードWebサーバ37からインターネット13および他方のBチャネル9を介して送信されてきた帯域非保証型パケット交換（IPNW）方式によるドキュメントや手書き情報などの映像23が表示されるというように回線交換およびパケット交換という通信方式の異なるアプリケーションをサーバを介してシームレスに連動して提供することができる。
【００１７】
また、回線交換システム11およびインターネット13からなるハイブリッド型通信システムで提供されるAPサービス映像/音声および資料（データ）をサーバを介することによりグルーピングし、AP毎に課金することが可能である。
【００１８】
【発明の効果】
以上説明したように、本発明によれば、ISDNの一方のＢチャネルを帯域保証型の通信システムに適用し、該帯域保証型の通信システムおよび一方のＢチャネルを介してリアルタイム双方向の映像/音声情報を送受信し、他方のＢチャネルを帯域非保証型のインターネットを含む通信システムに適用し、該帯域非保証型の通信システムおよび他方のＢチャネルを介してＨＴＭＬおよび動的に発信する手書き情報を送信するので、ISDN1回線で高密度の映像コミュニケーションを効率的に行なうことができ、また対面を補足する上で重要なコミュニケーションをISDN1回線で提供することができる。
【００１９】
また、本発明によれば、ハイブリッド型通信システム上で提供されるアプリケーションサービス映像、音声およびデータをサーバを介してグループ化し、アプリケーション毎に課金を行なうことができる。
【図面の簡単な説明】
【図１】本発明の一実施形態に係わるハイブリッド情報提供方法を実施するハイブリッド情報提供システムの構成を示す図である。
【符号の説明】
1  CUG
3  情報提供センタ
5  ユーザ端末
7  一方のBチャネル
9  他方のBチャネル
11  回線交換システム
13  インターネット
31  TV会議多地点接続装置
33  データ配信サーバ
35  課金サーバ
37  ホワイトボードWebサーバ
39  認証サーバ
【図１】
0003813803.tif 000002